(57)【要約】【課題】無線ネットワーク機能を持ったデジタルカメラの利便性を追求する技術が模索されていた。【解決手段】スタンプラリーの通過拠点となる無線ネットワークの接続拠点と通信する無線通信部５６と、前記無線ネットワークを経由してサーバへ接続するための認証部６２と、前記サーバから電子データをダウンロードするためのファイル操作部６４と、被写体の画像を撮影する撮影部４９と、前記ファイル操作部によりダウンロードし接続拠点ごとに異なる電子データに基づく複数の画像ファイルを結合する画像結合部６５と、前記撮影部によって撮影された撮影画像と前記画像結合部で結合された結合画像を合成する画像合成部６６と、画像合成部により合成された合成画像を表示する表示部５４と、を備えたことを特徴とする無線機能付きカメラ１を提供する。【選択図】図１
2010124308.tif 000002
【特許請求の範囲】
【請求項１】
スタンプラリーの通過拠点となる無線ネットワークの接続拠点と通信する無線通信部と、
前記無線ネットワークを経由してサーバへ接続するための認証部と、
前記サーバから電子データをダウンロードするためのファイル操作部と、
被写体の画像を撮影する撮影部と、
前記ファイル操作部によりダウンロードし接続拠点ごとに異なる電子データに基づく複数の画像ファイルを結合する画像結合部と、
前記撮影部によって撮影された撮影画像と前記画像結合部で結合された結合画像を合成する画像合成部と、
画像合成部により合成された合成画像を表示する表示部と、
を備えたことを特徴とする無線機能付きカメラ。
【請求項２】
前記電子データには文字情報を含むことを特徴とする請求項１に記載の無線機能付きカメラ。
【請求項３】
前記複数の画像ファイルを結合した結合画像が外観上の統一を形成するとともに、前記サーバから前記画像ファイルに関連した音声ファイルもダウンロードし、前記表示部に前記合成画像を表示すると該音声ファイルが音声によって出力されることを特徴とする請求項１又は２に記載の無線機能付きカメラ。
【請求項４】
請求項１〜３に記載の無線機能付きカメラからダウンロードされる前記電子データを格納する前記サーバと前記無線通信部との通信をＦＴＰ通信によって行うことを特徴とするサービス提供システム。
【請求項５】
前記接続拠点及び前記接続拠点から接続する前記サーバの位置情報を記載したガイドマップをユーザに提供し、スタンプラリーのゴール地点において撮影した前記撮影画像と前記結合画像を合成した合成画像は施設の利用値引き又は優待条件として機能することを特徴とする請求項４に記載のサービス提供システム。
【発明の詳細な説明】
【技術分野】
【０００１】
本発明は、無線機能付きカメラ及びサービス提供システムに関する。
【背景技術】
【０００２】
従来、テーマパークや遊園地等においてインターネットやイントラネット等のネットワークに接続する機能を有するカメラが知られている。例えば特許文献１に開示されるデジタルカメラは、ネットワークに接続して撮影場所に関する画像を合成する構成が開示されている。そして、デジタルカメラで撮影した画像とネットワークを経由した写真フレームを合成して画像が合成されることが記載されている。
【特許文献１】特開２００４−２２１７５３号公報（全文）
【発明の開示】
【発明が解決しようとする課題】
【０００３】
ここで特許文献１の場合には、デジタルカメラで撮影した画像とアクセスポイントから取得した写真フレームを用いて合成画像として利用するが、アクセスポイントから合成できる合成画像は１つだけである。これではテーマパークに複数のアクセスポイントがあるにもかかわらず、他のアクセスポイントから取得する写真フレームとの関連性がなく、ユーザにとっては娯楽性に乏しい利用方法である。そうすると、撮影場所に関する画像と画像フレームを最大限に生かすことが難しい。
【０００４】
本発明はこうした状況に鑑みてなされたものであり、その目的は無線機能付きカメラの利便性を高める点にある。別の目的は無線機能付きカメラにおける無線ネットワークの利用環境を向上させる点にある。
【課題を解決するための手段】
【０００５】
上記目的を解決するために無線機能付きカメラでは、スタンプラリーの通過拠点となる無線ネットワークの接続拠点と通信する無線通信部と、前記無線ネットワークを経由してサーバへ接続するための認証部と、前記サーバから電子データをダウンロードするためのファイル操作部と、被写体の画像を撮影する撮影部と、前記ファイル操作部によりダウンロードし接続拠点ごとに異なる電子データに基づく複数の画像ファイルを結合する画像結合部と、前記撮影部によって撮影された撮影画像と前記画像結合部で結合された結合画像を合成する画像合成部と、画像合成部により合成された合成画像を表示する表示部と、を備えたことを特徴とする。
【０００６】
この構成によると前記無線機能付きカメラは、スタンプラリーの拠点となる無線ネットワークの無線拠点と無線ネットワークを経由してサーバへ接続して認証を行い、接続拠点ごとに異なる画像ファイルをダウンロードする。そして前記撮影部によって撮影された撮影画像と異なる画像ファイルを結合した結合画像を合成して表示部に表示する。これにより利便性の高い無線機能付きカメラを提供することができる。
【０００７】
ここで無線ネットワークは、主にＩＥＥＥ８０２．１１ａ／ｂなどの無線ＬＡＮ通信である。接続拠点は主に、公衆無線ＬＡＮの基地局を示すが、基地局が設置された建物や土地でもよい。
【０００８】
また、上記目的を解決するために無線機能付きカメラでは、前記電子データには文字情報を含むことを特徴とする。この構成によると画像ファイルのみならず文字を用いた合成画像を作成することができる。このため、付加価値のある合成画像を生成することができる。
【０００９】
また、上記目的を解決するために無線機能付きカメラでは、前記複数の画像ファイルを結合した結合画像が外観上の統一を形成するとともに、前記サーバから前記画像ファイルに関連した音声ファイルもダウンロードし、前記表示部に前記合成画像を表示すると該音声ファイルが音声によって出力されることを特徴とする。この構成によると複数の画像ファイルを結合した結合画像が外観上の統一を形成され、さらに画像ファイルに関連する音声ファイルも利用でき、利便性の高い無線機能付きカメラを提供することができる。
【００１０】
また、上記目的を解決するために無線機能付きカメラからダウンロードされる前記電子データを格納する前記サーバと前記無線通信部との通信をＦＴＰ通信によって行うことを特徴とするサービス提供システムを提供する。この構成によると、前記通信部との通信をＦＴＰ通信にすることによりＨＴＴＰ通信に比べ、無線機能付きカメラ及びサーバには通信を実現するためのリソースを少く構成でき、利便性の高いサービス提供システムを提供できる。
【００１１】
また、上記目的を解決するために前記接続拠点及び前記接続拠点から接続する前記サーバの位置情報を記載したガイドマップをユーザに提供し、スタンプラリーのゴール地点において撮影した前記撮影画像と前記結合画像を合成した合成画像は施設の利用値引き又は優待条件として機能することを特徴とするサービス提供システムを提供できる。この構成によるとガイドマップを利用することで施設内をスムースにスタンプラリーを回ることができ、さらに合成画像を活用することで施設の利用値引き又は優待条件とすることができる。これにより利便性の高いサービス提供システムを提供できる。
【００１２】
なお、以上の構成要素の任意の組み合わせや、本発明の構成要素や表現を方法、装置、システム、コンピュータプログラム、プログラムを格納した記録媒体、データ構造などの間で相互に置換したものもまた、本発明の態様として有効である。
【発明の効果】
【００１３】
本発明によれば、無線機能付きカメラの利便性を高め、無線機能付きカメラにおける無線ネットワークの利用環境を向上させることができる。
【発明を実施するための最良の形態】
【００１４】
本実施形態においては、無線機能付きカメラの表示画面に合成画像を視覚的に表示する。無線機能付きカメラは、主にデジタルカメラを想定するが、静止画だけでなく動画や音声を記録可能である。また無線機能付きカメラは、カメラ機能をもつ携帯端末であっても良い。
【００１５】
図１は、無線機能付きカメラ１を用いたサービス提供システムの基本的な構成を表す。無線機能付きカメラ１はスタンプラリーの通過拠点となる第１のアクセスポイント１９、第２のアクセスポイント２０、第３のアクセスポイント２１、第３のアクセスポイント２２のうちいずれかを経由してネットワーク２３へ接続される。ネットワーク２３はその形態としてイントラネットを想定しているが、これに限られるものではない。各アクセスポイントはスタンプラリーの通過拠点となるため、ゴールするためには所定の順番に従ってアクセスするのが好ましい。
【００１６】
無線ネットワークの接続拠点であるアクセスポイント１９〜２２は、設定された時間間隔で周期的にビーコンフレームを送信する。このビーコンフレームには当該アクセスポイントに設定されているＳＳＩＤ（Service  Set  Identifier）が含まれる。ＳＳＩＤは、アクセスポイントを識別するための識別情報である。そして無線ＬＡＮの識別情報として機能する。暗号キーは、正規のユーザ以外による無線ＬＡＮ接続を制限するために用いられる。暗号キーには、ＷＥＰ（Wired  Equivalent  Privacy）と呼ばれる暗号化方式に従って定められたものが用いられる。
【００１７】
無線機能付きカメラ１がアクセスポイント１９の無線ＬＡＮ通信範囲、即ちカバー範囲内に入ると、そのビーコンフレームを受信する。そしてＳＳＩＤと当該アクセスポイントの種別に基づいて、無線機能付きカメラ１が利用可能なアクセスポイントか否かを判定する。そのために、無線機能付きカメラ１の記憶部内には予め複数のＳＳＩＤを登録しておく。
【００１８】
アクセスポイント１９と接続後、無線機能付きカメラ１はネットワーク２３を経由してサーバ２６に蓄積された各種データをダウンロードすることができる。通信するためのプロトコルは現在のインターネットサーバーの主流であるＨＴＴＰ（HyperText  Transfer  Protocol）よりもＦＴＰ（File  Transfer  Protocol）を利用することが望ましい。
【００１９】
ＨＴＴＰの場合には無線機能付きカメラ１にブラウザ機能を実装する必要があり、ブラウザ機能は比較的多くのハードウェアとソフトウェア資源を要求する。ところが無線機能付きカメラ１ではハードウェア及びソフトウェアの資源が限られている。そのためサーバ２６はＦＴＰサーバであり、無線機能付きカメラ１がＦＴＰクライアントという構成が好ましい。
【００２０】
ここでＦＴＰとはインターネットなどでファイルのダウンロードのために用いられるプロトコルである。ＩＥＴＦ（Internet  Engineering  Task  Force）のＲＦＣ（Request  For  Comments）９５９で定義されている。インターネットやイントラネットなどで一般的に用いられ、ＴＣＰの上で通信する。ＦＴＰでは操作を行うための接続と、他にデータの転送専用に用いる接続の２本の接続が必要となる。
【００２１】
ＦＴＰ通信の接続の具体的な方法として、サーバ２６へ接続時のコマンドを使用する前に、データ転送用のコネクションを確立する必要がある。この確立方法にアクティブモードとパッシブモードの２種類の方式がある。アクティブモード（ポートモードとも言う）では、無線機能付きカメラ１がサーバ２６へ待ち受けＩＰアドレスとポート番号を通知し、サーバ２６は無線機能付きカメラ１から通知されたＩＰアドレスのポート番号に対してコネクションを確立する。パッシブモードではサーバ２６が無線機能付きカメラ１へ待ち受けポート番号を通知し、待ち受けポート番号の通知を受けた無線機能付きカメラ１がサーバ２６へコネクションを確立する。
【００２２】
どちらのモードでも、コマンド用とデータ用で別々のサーバ２６へのコネクションを確立する必要がある。サーバ２６へ接続する際には認証を必要とするが、サーバ２６が専らファイルを配布する目的の場合には、匿名アクセスでも形式上認証が可能である。この場合、無線機能付きカメラ１ではユーザ名として「Ａｎｏｎｙｍｏｕｓ」や「ｆｔｐ」を指定し、パスワードは任意とする。サーバ２６ではこれらのユーザでログイン要求して来た場合には、パスワードを要求せず接続を可能にする。
【００２３】
無線機能付きカメラ１からサーバ２６へアクセスした後、ＦＴＰ特有のコマンドにより複数のファイルのアップロード、変更、消去、ダウンロードが可能である。このためサーバ２６側によって無線機能付きカメラ１で用いられるユーザによって、ユーザ毎にアクセス制御をすることが好ましい。またユーザのアクセス制御としては、ユーザ名とパスワードのみならず、使い捨てのパスワード即ちワンタイムパスワードを用いてユーザのアクセス制御をすることができる。
【００２４】
なお、通信プロトコルはＨＴＴＰやＦＴＰのみならず、ＨＴＴＰＳ（HyperText  Transfer  Protocol  Security）、ＳＦＴＰ（Secure  FTP）、ＦＴＰＳ（FTP  Over  SSL/TLS）のいずれでもあってもよい。
【００２５】
ゲートウェイ２４は、ネットワーク２３とネットワーク２５とを結び付ける。ネットワーク２５はイントラネットやインターネットであってもよい。ゲートウェイ２４はファイヤーウォール機能を有しても良い。ネットワーク２５がインターネットの場合には、ファイヤーウォール機能を有することによりネットワーク２５からの攻撃に対して防御することができる。
【００２６】
ゲートウェイ２４はＶＰＮ（Virtual  Private  Network）機能を有してもよい。ＶＰＮ機能によりネットワーク２５を超えて対向するＶＰＮ機器（図示せず）とＶＰＮを構成することができる。これによりネットワーク２５がインターネットの場合であっても、アクセスポイント１９〜２２から安全にネットワーク２５を利用することが可能になる。ＶＰＮの暗号化通信を提供する技術としてはＳＳＬやＩＰＳＥＣなどが挙げられる。前記ＦＴＰ通信におけるアクティブモードとパッシブモードはゲートウェイ２４の機能によって場合分けすることが好ましい。
【００２７】
図２はサーバ２６の構成を示す機能ブロック図である。サーバ２６は、サーバ２６全体を制御する制御部３０とＣＰＵ３３、ＣＰＵ３３に処理条件を入力する操作部３４を備える。操作部３４としてはキーボードやマウスを備える。サーバ２６には記憶部３２の一部であるメモリの内容を表示（閲覧）するための表示部３６、およびサーバ２６用の通信部３５を備える。
【００２８】
制御部３０には認証部３７を備えており、無線機能付きカメラ１からの接続について認証を行う。制御部３０ではＦＴＰ通信を用いて認証することが好ましい。またサーバ２６では無線機能付きカメラ１から接続した情報を記憶部３２へ記録する。これにより接続情報を把握し、セキュリティを向上することができる。
【００２９】
記憶部３２には図示しないハードディスクに画像や音声等の電子データがデータベースとして体系的に保存されている。記憶部３２に保存されている電子データは無線機能付きカメラ１からアクセスするとダウンロード可能なファイルが表示される。表示内容は全てのアクセスポイントと同一にするのではなく、上記制御部によってアクセスポイントによって変更される。表示の制御はアクセスポイント１９〜２２や無線機能付きカメラ１に割り振られているＩＰアドレスによって制御することが好ましい。無線機能付きカメラ１で認証されるユーザ名やＩＰアドレス帯によって制御してもよい。これによりアクセスポイントがスタンプラリーの拠点となって異なる電子データを配信できる。
【００３０】
図３は無線ネットワークの接続拠点であるアクセスポイント１９〜２２の構成を概略的に示す機能ブロック図である。各アクセスポイントは、スタンプラリーの拠点となり、またネットワーク２３と無線機能付きカメラ１との１種のブリッジとして中継する機能を有している。各アクセスポイントは、主な構成要素として制御部４０の他、記憶部４２、ＣＰＵ４３、操作部４４、有線通信部４５、無線通信部４６を内蔵している。このうち制御部４０は、他の各構成要素の動作を制御する機能を有しており、制御部４０は例えばＣＰＵ（Central  Processing  Unit：中央演算処理装置）等の形態で図示しない回路基板に実装されていてもよい。
【００３１】
有線通信部４５は、無線機能付きカメラ１から送信されたデータをネットワーク２３を介して伝送するとともに、ネットワーク２３を介して無線機能付きカメラ１宛てに伝送されたデータを受信する機能を有する。また無線通信部４６は、ネットワーク２３を介して無線機能付きカメラ１宛てに伝送されたデータを無線通信により無線機能付きカメラ１に送信するとともに、無線機能付きカメラ１から送信されたデータを受信する機能を有している。
【００３２】
なお、図１中に各アクセスポイント１９〜２２を中心として示されている円は、それぞれのアクセスポイントと無線通信による接続が可能な領域、例えば半径数十メートル〜数百メートルの通信可能エリアを示している。
【００３３】
図４は無線機能付きカメラ１の構成を概略的に示す機能ブロック図である。無線機能付きカメラ１は、レンズ５０、ＣＣＤ５１とからなる撮影部４９、記憶部５２、ＣＰＵ５３、表示部５４、操作部５５、無線通信部５６、スピーカ５７及び制御部６０を有する。
【００３４】
撮影部４９はレンズ５０とＣＣＤ５１からなる。レンズ５０は、フォーカスの調節を行い、被写体の光画像を結像する。ＣＣＤ５１は、レンズ５０により受光面上に結像された被写体光を、ＣＣＤ５１内の各センサ毎に光の入射量に応じた量の電気的な信号（撮像信号）へ光電変換する。そして、ＣＣＤ５１は、図示しないＣＣＤ駆動回路から入力されるタイミングパルスに制御されることにより、この撮像信号を図示しないアナログ処理回路へ順次出力する。また、ＣＣＤ５１に代えて、ＣＭＯＳ（Complementary  Metal-Oxide  Semiconductor）等の撮像素子としてもよい。
【００３５】
記憶部５２おいて構成される図示しない記憶デバイスは一時記憶メモリのＲＡＭやＲＯＭから成り、ＶＲＡＭ（Video  RAM）等の半導体メモリと、メモリーカード等の記録メディアを装着する装着部とを備え、制御部６０から入力される制御信号に従って、半導体メモリへのデータの読み書きや、装着部に装着された記録メディア（例えば、スマートメディア、ＳＤ（Secure  Digital）カード、メモリスティック、コンパクトフラッシュ（登録商標）、マイクロドライブ等の可搬記憶媒体）の記録されたデータの読み出しや、記録メディアへのデータの書き込みを行う。
【００３６】
記憶部５２はＡ／Ｄ変換器から出力された画像ファイルを一時的に格納する。一時記憶メモリに格納される画像ファイルは、Ｒａｗデータ形式の生データ（画像ファイル）であり、ＣＣＤ５１のＲ，Ｇ，Ｂカラーフィルタ配列そのままの未処理のデジタル画像ファイルである。
【００３７】
制御部６０は、画像処理部６１と認証部６２と履歴管理部６３とファイル操作部６４からなり、他の各構成要素の動作を制御したり、所定のプログラムに基づく各種の処理を実行したりする機能を有している。制御部６０もまた、例えばＣＰＵ（Central  Processing  Unit：中央演算処理装置）等の形態で図示しない回路基板に実装されてもよい。
【００３８】
また制御部６０は、記憶部５２に記憶されたアプリケーション、プログラム等を実行することで、無線通信により接続したアクセスポイント１９を切り換えるローミング処理を行う機能を有している。ローミングは、一例としてスタンプラリーの途中に、無線機能付きカメラ１が１つのアクセスポイント１９に接続している状態で、このアクセスポイント１９から他の隣接するアクセスポイント２０に向かってネットワーク環境内を移動していく過程で行われる。
【００３９】
制御部６０において構成される画像処理部６１は、記憶部５２の一部を構成する一時記憶メモリに格納された画像ファイルに対し、色補正、階調補正、分光感度のクロストーク補正、暗電流ノイズ抑制、鮮鋭化、ホワイトバランス調整、彩度調整等の画質向上処理の他、画像ファイルの縦及び横サイズの縮小（変更）、トリミング、アスペクト変換、圧縮処理（例えば、ＪＰＥＧ（Joint Photographic  Experts  Group）形式への変換）等の処理を施す。
【００４０】
色補正とは、撮影に用いられる照明装置の色温度を補正することであり、図示しないが無線機能付きカメラ１が、色温度を自動検出する機能又は手動で設定するための設定手段を有している。色補正には、公知の如何なる技術を用いても良い。階調補正とは、撮影に用いられる照明装置の明るさ及びコントラストを補正することであり、図示しないが無線機能付きカメラ１が、ＡＥと連動して、所定の階調カーブを設定するための設定機能を有している。階調補正には、公知の如何なる技術を用いても良い。色補正、階調補正の画像処理条件として、Ｒ，Ｇ，Ｂ値毎に乗算する係数や、ルックアップテーブル等が用いられる。
【００４１】
画像処理部６１は画像結合部６５と画像合成部６６とからなる。画像結合部６５はスタンプラリーの通過拠点となる複数のアクセスポイントから取得した複数の画像ファイルを一つの結合画像として結合する。画像合成部６６は前記結合画像と前記撮影部から撮影された撮影画像とを合成し一つの電子データとし、記憶部５２へ保存する。
【００４２】
また画像処理部６１のその他の機能として、色補正、階調補正等を施した画像ファイルに更に縮小処理を施して縮小画像ファイルを生成し表示部５４に出力する。例えば、画像ファイルを色分離してＲＧＢの各色信号に分け、色分けされたＲ信号、Ｇ信号、Ｂ信号それぞれに、色毎に設定されたローパスフィルタをかけ、ローパスフィルタをかけて得られたＲ信号、Ｇ信号、Ｂ信号を用いて縮小画像ファイルの画素配列に再配列し、画素を一定の割合で間引く処理を行う。
【００４３】
認証部６２は無線機能付きカメラ１のユーザの認証情報を設定するようにしている。操作部５５を用いて、サーバ２６に対しパスワード認証を行ってもよい。ソフトウェアキーボードを用いてもよいし、カメラ本体にキースイッチ等のハードウェア入力手段を設けて、それを用いてもよい。またデジタル証明書を使用して認証してもよい。
【００４４】
履歴管理部６３では、アクセスポイント１９〜２２との認証の履歴やサーバ２６との認証や通信履歴を記憶部５２へ記憶する。このように履歴を記憶部５２に記憶することで、いつ何をどのようにしたのかということを把握でき、利便性の高い無線機能付きカメラ１を構成することができる。
【００４５】
ファイル操作部６４では、サーバ２６との通信においてファイル操作を行う。通信プロトコルはＦＴＰが好ましいため、ＦＴＰクライアントに実装される機能を有することが望ましい。そのためファイルの取得や削除、アップロード、名前の変更を行うことが可能になる。またこれらの操作履歴は履歴管理部６３を通して記憶部５２に記憶される。
【００４６】
表示部５４は、ＬＣＤ（Liquid  Crystal  Display）又はＥＬ（Electro  Luminescence）ディスプレイ等により構成され、制御部６０により入力された表示制御信号に従って、所要の表示処理を行う。例えば、表示部５４は、無線機能付きカメラ１の撮影者が撮影に関する設定や条件を確認するための情報を表示したり、画像処理部６１で生成された縮小画像ファイルを表示用の画像ファイルに変換して表示したりする。また、表示部５４は、撮影モード時には、ＣＣＤ５１により取り込まれた画像ファイルを連続的に表示する電子ファインダとしての機能を有する。
【００４７】
操作部５５は、シャッターボタン、電源のＯＮ／ＯＦＦボタン、ズームボタン等の各種機能ボタン、カーソルキー等を備え、各ボタンやキーに対応する操作信号を制御部６０に出力する。
【００４８】
無線通信部５６は、記憶部５２に記憶されたデータを無線通信によりアクセスポイント１９〜２２に送信するとともに、アクセスポイント１９〜２２から送信されたデータを受信する機能を有している。スピーカ５７は音声ファイルや警告音などの各種音声を出力する。
【００４９】
図５は、無線機能付きカメラ１を背面方向から見たときの外観図の例である。無線機能付きカメラ１の背面には、表示部５４が配置されている。表示部５４の右側には、操作部５５としてのシャッターボタン７０、ズームボタン７１、メニューボタン７２、方向ボタン７３、移動決定ボタン７４、再生ボタン７５及び削除ボタン７６を備えている。
【００５０】
シャッターボタン７０は、撮影時にシャッター操作を行うために用いられる。無線機能付きカメラ１が撮影モードに設定されているときにユーザがシャッターボタン７０を押すことにより、撮影が行われる。ズームボタン７１は、ズーム量を調節するために用いられる。撮影モード時にユーザが「Ｗ」と記された左側を押すと、ワイド方向にズーム量が調節され、撮影画像において被写体が縮小される。逆に「Ｔ」と記された右側を押すと、テレ側にズーム量が調節され、撮影画像において被写体が拡大される。
【００５１】
メニューボタン７２は、様々なメニュー項目を選択するための表示部５４に表示に用いられる。メニューボタン７２が押されることにより、メニュー画面が表示部５４に表示される。さらに、メニューボタン７２を一定時間以上押し続ける操作、すなわち長押し操作により、アクセスポイント１９〜２２への接続および切断を行うことができる。尚、上記操作は一例であり、操作手段に関しては特に拘らない。
【００５２】
方向ボタン７３は、上下左右の各方向に押すことができるような構造を有しており、選択用カーソルの移動などに用いられる。たとえば、記録されている撮影画像をサムネイル表示し、いずれかのサムネイル上に選択用カーソルを表示する。方向ボタン７３がいずれかの方向に押されることにより、押された方向に応じて選択用カーソルが別のサムネイル上に移動する。また、方向ボタン７３が押された方向に応じて、メニュー画面において選択用カーソルが複数のメニュー項目間を移動する。
【００５３】
移動決定ボタン７４は、任意の方向入力操作と押下操作が可能なように構成されている。たとえば、移動決定ボタン７４を押下可能な突起状の操作部位とし、その操作部位をユーザが任意の方向に倒すと、その倒した向きによって方向入力操作を検出する。また、その操作部位をユーザが上から押し込むと、押下操作を検出する。または、突起状の操作部位の代わりにトラックボール状の操作部位としてもよい。
【００５４】
図５の例では移動決定ボタン７４の位置が方向ボタン７３の内側となっているが、必ずしもこのようにする必要はない。移動決定ボタン７３を指のタッチ操作によって方向入力操作と押下操作を検出できるようにしたタッチセンサとしてもよいし、表示部５４と一体化したタッチパネルとしてもよい。移動決定ボタン７４の押下操作により、選択用カーソルによって指定されたサムネイルやメニュー項目が選択される。
【００５５】
再生ボタン７５は、撮影画像の再生に用いられる。記憶部５２に記録された撮影画像をサムネイル表示しているにユーザが再生ボタン７５を押すと、カーソルによって指定されているサムネイルに対応する撮影画像が表示部５４に表示され、サムネイル画像が拡大表示される。撮影画像が動画像であれば、その動画像が再生される。
【００５６】
削除ボタン７６は、撮影画像の削除に用いられる。サムネイルや撮影画像の表示中にユーザが削除ボタン７６を押すと、選択中の撮影画像が削除され、記憶部５２の記録から消去される。
【００５７】
無線機能付きカメラ１の内部にはアクセスポイント１９〜２２と通信するためのアンテナが配設されている。
【００５８】
図６〜８は無線機能付きカメラ１及びサービス提供システムの合成画像が作成されるまでのフローチャートである。
【００５９】
ステップＳ１では所定のモードを選択する。ユーザは無線機能付きカメラ１のメニューボタン７２を長押しすることで無線ＬＡＮに接続可能なモードに設定する。
【００６０】
ステップＳ２では無線機能付きカメラ１が通信圏内にアクセスポイントがあるか否かを検索する。ユーザは図９に示すようにガイドマップを参考に、施設内のアクセスポイント（チェックポイントと同義）１９付近へ進む。
【００６１】
ステップＳ３では無線機能付きカメラ１が通信圏内にアクセスポイント１９を確保できるか否かを判断する。アクセスポイント１９を確保できた場合にはステップＳ４へ移行し、アクセスポイント１９を確保できない場合にはステップＳ２へ移行する。確保できたアクセスポイント１９があればＳＳＩＤや電波強度、チャネルなどを確認することができる。アクセスポイントは最大２０件を表示部５４に表示される。アクセスポイント１９を確保できず、通信圏外である場合には、その旨警告表示を出し、ユーザに知らせてもよい。
【００６２】
ステップＳ４では記憶部５２に記憶されたアクセスポイント１９の認証情報に基づいてアクセスポイントへの接続を行う。認証にはアクセスポイントの認証情報として、アクセスポイントを識別するためのＩＤ情報および暗号化キーの設定を送信する。認証情報は前記ガイドマップに記載していてもよい。
【００６３】
ステップＳ５では無線機能付きカメラ１はアクセスポイント１９を経由して無線ＬＡＮの形態で通信を開始することになる。
【００６４】
ステップＳ６では電子データが格納されているサーバ２６の位置情報を入力する。具体的には無線機能付きカメラ１の操作部５５を用いて入力する。例えば前記ガイドマップや入場券やパンフレットなどで取得できたサーバのＵＲＬ（Uniform  Resource  Locator）を入力する。
【００６５】
ステップＳ７では接続先のサーバ２６に認証が必要か否か判断される。必要な場合にはステップＳ８へ移行し、不要の場合にはステップＳ１０へ移行する。
【００６６】
ステップＳ８では認証情報を入力する。例えばユーザ名とパスワードを入力する。一度きり有効な使い捨てのパスワードであれば、使い捨てのパスワードを入力する。ユーザ名とパスワードのみならず、電子証明書を用いて認証してもよい。また音声認証や指紋認証のような認証でもよい。またユーザ名等の認証情報は前記ガイドマップに記載していてもよい。
【００６７】
ステップＳ９ではサーバ２６で認証が通過したか判断される。認証が通過すればステップＳ１０へ移行し、通過しない場合にはステップＳ８へ移行する。サーバ２６では認証情報の通過の可否を記憶部３２へ記憶する。認証の通過の有無に係わらず、サーバ２６ではアクセスした時間、アクセスポイントの場所、ＩＰアドレス、ユーザ名や暗号情報等を記憶することでセキュリティの向上が図れる。また同じユーザからアクセスできない状態が短時間に続くような場合であれば不正ユーザからのアクセスと判断することもできる。
【００６８】
ステップＳ１０ではユーザが電子データに基づく画像ファイルをダウンロードする。ダウンロードされる画像ファイルはアクセスポイント毎に異なる画像ファイルとしているが全てのアクセスポイントからの画像ファイルを結合すると外観上の統一を形成することになる。統一方法はあるキャラクタに統一されたり、観念上の統一であってもよい。同じアクセスポイントであっても春や夏といった季節、朝や夜という時間によって違う画像ファイルを提供しても良い。さらにユーザの施設利用回数によって外観上の統一が異なってもよい。これにより、ユーザにとっては娯楽性に富み、利便性の高い無線機能付きカメラ及びサービス提供システムが提供できる。
【００６９】
ステップＳ１１では電子データに基づく文字情報があるか判定される。文字情報があればステップＳ１２へ移行し、ない場合にはステップＳ１３へ移行する。文字情報はサーバ２６で予め用意されている。
【００７０】
ステップＳ１２では文字情報もサーバ２６からダウンロードされる。ダウンロードされると図１０に示すように文字情報１１１は画像ファイル１１０に隣接する形で表示部５４に表示される。
【００７１】
ステップＳ１３では画像ファイルに関連する音声ファイルがあるか判定される。音声ファイルがあればステップＳ１４へ移行し、ない場合にはステップＳ１５へ移行する。
【００７２】
ステップＳ１４では音声ファイルがサーバ２６からＦＴＰ通信でダウンロードされる。
【００７３】
ステップＳ１５では前記画像ファイル、文字情報、音声ファイルの電子データが記憶部５２に保存される。またサーバ２６の記憶部３２及び無線機能付きカメラの記憶部５２に電子データに基づくファイル名、文字情報、音声ファイル、ファイルサイズ、ダウンロードした日時、ファイルの種類、無線機能付きカメラ１のグローバル及びプライベートのＩＰアドレス、アクセスポイント、スタンプラリーの終了度合い、ユーザ名等が記憶される。
【００７４】
ステップＳ１６では無線機能付きカメラ１とアクセスポイント１９の通信を切断する。切断するには無線機能付きカメラ１の操作部５５を用いて行う。
【００７５】
ステップＳ１７ではスタンプラリーが終了しているか判断する。スタンプラリーが終了している場合にはステップＳ１８へ移行する。終了していない場合にはステップＳ２へ移行する。スタンプラリーのチェックポイントを全て通過したかどうかの判断は画像ファイルを結合した結合画像に外観上の統一があるか否かで判断することがすることで可能である。またサーバ２６に外観上の統一があるかの判断を委ねてもよい。サーバ２６の記憶部３２にはユーザ毎のアクセス履歴が保存されているからである。
【００７６】
スタンプラリーが終了していない場合において、アクセスポイント２０で取得された電子データは図１１に示すように画像ファイル１１２と文字情報１１３となる。アクセスポイント２１で取得された電子データは図１２に示すように画像ファイル１１４と文字情報１１５となる。アクセスポイント２２で取得された電子データは図１３に示すように画像ファイル１１６と文字情報１１７となる。
【００７７】
ステップＳ１８ではユーザはスタンプラリーのゴール地点での撮影場所を選択する。
【００７８】
ステップＳ１９ではユーザが無線機能付きカメラ１の操作部５５を用いて被写体を撮影する。被写体はユーザ本人であっても、ユーザ本人でなくてもなくてもよい。被写体は複数人であってもよい。人ではなくて動物であってもよい。
【００７９】
ステップＳ２０では撮影部によって撮影された撮影画像はＯＫか判定される。ＯＫの場合にはステップＳ２１へ移行する。ＯＫではない場合にはステップＳ１９へ移行する。
【００８０】
ステップＳ２１では撮影画像と電子データの合成を行う。図１４に示すように画像ファイル１１０、１１２、１１４、１１６及び文字情報１１１、１１３、１１５、１１７が結合された結合画像と撮影画像１２０とが合成された合成画像が表示部５４に表示される。
【００８１】
ステップＳ２２では合成画像がＯＫか判定される。ＯＫの場合にはステップＳ２４へ移行する。ＯＫではない場合にはステップＳ２３へ移行する。
【００８２】
ステップＳ２３では合成画像が編集される。編集方法としては画像ファイルの配置を変えたり、位置を調整したりすることができる。またその他に画像を調整する方法としては全体の明るさや彩度を上げ、よりあざやかにくっきりと見せる処理や、肌色や緑、空などいわゆる「記憶色」の領域を検知し、記憶色領域のみ、より鮮やかにしたり、より好ましい色に修正したりする方法がある。
【００８３】
ステップＳ２４では合成画像を記憶部５２へ保存され、フローチャートは終了する。
（他の実施形態）
図１５〜図１９を用いて他の実施形態について説明する。図１５に示すようにステップＳ１０においてダウンロードする画像ファイル１２５であって、ステップＳ１３の判定の場合に画像ファイル１２５に関連する音声ファイルがある。そしてそれぞれのファイルをダウンロードして、表示部５４に表示されている。
【００８４】
図１６〜図１８に示すように、画像ファイル１２７、１２９、１３１と関連する音声ファイル１２８、１３０、１３２がダウンロードされそれぞれ表示部５４に表示されている。
【００８５】
ステップＳ２１で撮影画像１２０と電子データの合成が行われる。そして図１９に示すように結合画像１４０は犬の顔のように外観上統一され、また同時に関連する音声ファイルもスピーカ５７から出力される。各アクセスポイントを回った時間は記憶部３２や５２履歴として記憶されているので、図１９の１４１に示すように所要時間を表示し、それに応じて施設の利用値引き又は優待条件を変更してもよい。
【００８６】
以上、本発明を実施の形態をもとに説明した。この実施の形態は例示であり、その各構成要素や各処理の組み合わせに色々な変形例は可能であることは、本発明の範囲にあることは当業者に理解されるところである。
【００８７】
例えば、電子データには識別記号を含んでもよい。識別記号とはたとえば、バーコードや２次元バーコードであってもよい。
【図面の簡単な説明】
【００８８】
【図１】サービス提供システムの基本的な構成を示す図である。
【図２】サーバの構成を示す機能ブロック図である。
【図３】アクセスポイントの構成を示す機能ブロック図である。
【図４】無線機能付きカメラの構成を示す機能ブロック図である。
【図５】無線機能付きカメラの構成を示す図である。
【図６】無線機能付きカメラを用いたサービス提供システムのフローチャートである。
【図７】無線機能付きカメラを用いたサービス提供システムのフローチャートである。
【図８】無線機能付きカメラを用いたサービス提供システムのフローチャートである。
【図９】施設内で利用する無線機能付きカメラを用いたガイドマップの例である。
【図１０】無線機能付きカメラの表示部に電子データを表示する例である。
【図１１】無線機能付きカメラの表示部に電子データを表示する例である。
【図１２】無線機能付きカメラの表示部に電子データを表示する例である。
【図１３】無線機能付きカメラの表示部に電子データを表示する例である。
【図１４】無線機能付きカメラの表示部に電子データを表示する例である。
【図１５】無線機能付きカメラの表示部に電子データを表示する例である。
【図１６】無線機能付きカメラの表示部に電子データを表示する例である。
【図１７】無線機能付きカメラの表示部に電子データを表示する例である。
【図１８】無線機能付きカメラの表示部に電子データを表示する例である。
【図１９】無線機能付きカメラの表示部に電子データを表示する例である。
【符号の説明】
【００８９】
１    無線機能付きカメラ
１９〜２２  アクセスポイント
２６  サーバ
４９  撮影部
５４  表示部
６２  認証部
６４  ファイル操作部
６５  画像結合部
６６  画像合成部
【図１】
2010124308.tif 000003
【図２】
2010124308.tif 000004
【図３】
2010124308.tif 000005
【図４】
2010124308.tif 000006
【図５】
2010124308.tif 000007
【図６】
2010124308.tif 000008
【図７】
2010124308.tif 000009
【図８】
2010124308.tif 000010
【図９】
2010124308.tif 000011
【図１０】
2010124308.tif 000012
【図１１】
2010124308.tif 000013
【図１２】
2010124308.tif 000014
【図１３】
2010124308.tif 000015
【図１４】
2010124308.tif 000016
【図１５】
2010124308.tif 000017
【図１６】
2010124308.tif 000018
【図１７】
2010124308.tif 000019
【図１８】
2010124308.tif 000020
【図１９】
2010124308.tif 000021